(57)【特許請求の範囲】
【請求項１】
シリンダボア内のピストンを回転軸の回転によって動かし、前記ピストンの往動動作によってシリンダボアからリヤハウジング内の吐出室に冷媒を吐出すると共に、前記ピストンの復動動作によって前記リヤハウジング内の吸入室から前記シリンダボア内へ冷媒を吸入し、吐出圧領域から制御圧室へ冷媒を供給すると共に、前記制御圧室から吸入圧領域へ冷媒を抜き出し、前記吐出圧領域から前記制御圧室への冷媒供給又は前記制御圧室から前記吸入圧領域への冷媒抜き出しを容量制御弁によって制御して吐出容量を制御し、前記リヤハウジングに前記容量制御弁を取り付けた可変容量型圧縮機において、
前記回転軸の回転軸線と直交する平面に対して前記容量制御弁を傾けた可変容量型圧縮機における容量制御弁取り付け構造。
【請求項２】
圧縮機外部の取り付け対象に前記圧縮機を取り付けるための取り付け部を前記リヤハウジングに備えており、前記取り付け部は前記リヤハウジングの外端面に沿って設けられており、前記容量制御弁は、基端側から先端側に向かうにつれて前記リヤハウジングの外端面から離れてゆくように傾け、かつ前記回転軸の回転軸線方向に見て前記取り付け部と交差する方向へ配置した請求項１に記載の可変容量型圧縮機における容量制御弁取り付け構造。
【請求項３】
前記取り付け部は前記回転軸の回転軸線と直交し、前記容量制御弁の一部は前記取り付け部を潜る請求項２に記載の可変容量型圧縮機における容量制御弁取り付け構造。
【請求項４】
前記吸入室は前記リヤハウジングの半径中心側にあり、前記吐出室は前記吸入室を包囲しており、前記容量制御弁は、弁体を駆動する電気駆動手段と、前記吸入室に通じる感圧室の圧力変動に感応して変位する感圧体を有する感圧手段とを備え、前記感圧手段は前記容量制御弁の先端側にあり、前記感圧手段は、前記感圧室の圧力が前記電気駆動手段の駆動力に対応した所定の圧力に収束するように働く請求項１乃至請求項３のいずれか１項に記載の可変容量型圧縮機における容量制御弁取り付け構造。
【発明の詳細な説明】
【０００１】
【発明の属する技術分野】
本発明は、シリンダボア内のピストンの往復動作によってシリンダボアからリヤハウジング内の吐出室に冷媒を吐出すると共に、リヤハウジング内の吸入室からシリンダボア内へ冷媒を吸入し、制御圧室の圧力を容量制御弁によって調整して吐出容量を制御する可変容量型圧縮機における容量制御弁取り付け構造に関するものである。
【０００２】
【従来の技術】
特開平８−３３８３６４号公報に開示される可変容量型圧縮機では、クランク室の圧力と吸入圧領域の吸入圧との差圧に基づいて吐出容量を変えるようになっている。クランク室の圧力は、吐出圧領域である吐出室からクランク室へ冷媒を供給すると共に、クランク室から吸入圧領域である吸入室へ冷媒を抜き出して調整される。吐出室からクランク室へ冷媒を供給するための圧力供給通路上には容量制御用の電磁弁が介在されている。電磁弁の弁体は、ソレノイドの励磁によって閉弁位置側へ付勢される。電磁弁に対する供給電流値は、予め設定された設定室温と検出された検出室温との比較に基づいて決定されるようになっている。設定室温と検出室温との差が大きいほど供給電流値が大きくされ、電磁弁における弁開度が小さくなる。弁開度が小さくなるほど斜板傾角が大きくなり、吐出容量が大きくなる。
【０００３】
【発明が解決しようとする課題】
容量制御用の電磁弁は、吸入室及び吐出室を形成するリヤハウジングに取り付けられているが、リヤハウジングの外周壁から外方への電磁弁のはみ出しは圧縮機の取り付け対象に対する圧縮機の取り付けの妨げとなる。特に、車両の空調装置の一部として車両に圧縮機を搭載する場合、圧縮機の搭載スペースには制約があり、リヤハウジングの外周壁から外方への電磁弁のはみ出しを少なくすることが要求される。
【０００４】
本発明は、リヤハウジングの外周壁から外方への容量制御弁のはみ出しを抑えることを目的とする。
【０００５】
【課題を解決するための手段】
そのために本発明では、回転軸の回転軸線と直交する平面に対して前記容量制御弁を傾けた。
【０００６】
容量制御弁のこのような傾け配置は、リヤハウジングの外周壁から外方への容量制御弁のはみ出しの抑制に有効である。
請求項２の発明では、請求項１において、圧縮機外部の取り付け対象に前記圧縮機を取り付けるための取り付け部を前記リヤハウジングに備えており、前記取り付け部は前記リヤハウジングの外端面に沿って設けられており、前記容量制御弁は、基端側から先端側に向かうにつれて前記リヤハウジングの外端面から離れてゆくように傾け、かつ前記回転軸の回転軸線方向に見て前記取り付け部と交差する方向へ配置した。
【０００７】
傾け配置された容量制御弁を前記取り付け部に対して交差する方向へ配置した構成は、リヤハウジング内への容量制御弁の挿入量を増やす。リヤハウジング内への容量制御弁の挿入量を増やす構成は、リヤハウジングの外周壁から外方への容量制御弁のはみ出し抑制に寄与する。
【０００８】
請求項３の発明では、請求項２において、前記取り付け部は前記回転軸の回転軸線と直交し、前記容量制御弁の一部は前記取り付け部を潜るようにした。
回転軸線と直交する取り付け部は、リヤハウジングの外端面を略均等に２分割する。リヤハウジングの外端面を略均等に２分割する取り付け部は、リヤハウジングに対する容量制御弁の挿入スペースの確保を特に難しくする。容量制御弁を傾け配置する構成は、回転軸線と直交するように取り付け部を備えたリヤハウジングに対する容量制御弁の挿入スペースの確保に有効である。
【０００９】
請求項４の発明では、請求項１乃至請求項３のいずれか１項において、前記吸入室は前記リヤハウジングの半径中心側にあり、前記吐出室は前記吸入室を包囲しており、前記容量制御弁は、弁体を駆動する電気駆動手段と、前記吸入室に通じる感圧室の圧力変動に感応して変位する感圧体を有する感圧手段とを備え、前記感圧手段は前記容量制御弁の先端側にあり、前記感圧手段は、前記感圧室の圧力が前記電気駆動手段の駆動力に対応した所定の圧力に収束するように働くようにした。
【００１０】
容量制御弁の傾け配置は容量制御弁の先端側を吸入室内へ大きく張出可能とし、前記感圧室と吸入室とを通じる感圧口を大きくすることができる。大きな感圧口は感圧手段の感圧精度を高める。
【００１１】
【発明の実施の形態】
以下、車両に搭載された可変容量型圧縮機に本発明を具体化した第１の実施の形態を図１〜図７に基づいて説明する。
【００１２】
図２に示すように、制御圧室１２１を形成するフロントハウジング１２とシリンダブロック１１とに支持された回転軸１３は、車両エンジン（図示略）から回転駆動力を得る。制御圧室１２１内において回転軸１３には斜板１４が回転軸１３と一体的に回転可能かつ傾動可能に支持されている。回転軸１３の周囲においてシリンダブロック１１には複数のシリンダボア１１１（本実施の形態では６つ）が貫設されている。回転軸１３の周囲に配列されたシリンダボア１１１内にはピストン１５が収容されている。斜板１４の回転運動はシュー１６を介してピストン１５の前後往復運動に変換される。
【００１３】
シリンダブロック１１にはリヤハウジング１７がバルブプレート１８、弁形成プレート１９，２０及びリテーナ形成プレート２１を介して接合されている。シリンダブロック１１、フロントハウジング１２及びリヤハウジング１７は複数本のボルト１０（本実施の形態では６本）の締め付けによって互いに固定されている。リヤハウジング１７内には吸入室２２と吐出室２３とが区画形成されている。図５及び図６に示すように、吸入室２２と吐出室２３とは、リヤハウジング１７の端壁２４から立ち上がる円環状の隔壁２５によって区画されており、吐出室２３は吸入室２２の側方を取り囲んでいる。
【００１４】
図６に示すように、吸入室２２の側壁となる隔壁２５の内側においてバルブプレート１８には吸入ポート１８１が各シリンダボア１１１に対応して形成されている。隔壁２５の外側においてバルブプレート１８には吐出ポート１８２が各シリンダボア１１１に対応して形成されている。弁形成プレート１９には吸入弁１９１が形成されており、弁形成プレート２０には吐出弁２０１が形成されている。吸入弁１９１は吸入ポート１８１を開閉し、吐出弁２０１は吐出ポート１８２を開閉する。
【００１５】
リヤハウジング１７の端壁２４には冷媒導入通路３０が配設されている。冷媒導入通路３０の内側形成壁３０１は吸入室２２側及び吐出室２３側に盛り上がっており、冷媒導入通路３０の外側形成壁３０２は端壁２４の外端面から外方に盛り上がっている。冷媒導入通路３０はリヤハウジング１７の外周壁３１から吐出室２３を横断して吸入室２２に連通している。
【００１６】
図４に示すように、リヤハウジング１７の端壁２４には収容室２８が形成されている。収容室２８の内側形成壁２８１は吸入室２２側及び吐出室２３側に盛り上がっており、収容室２８の外側形成壁２８２は端壁２４の外端面から外方に盛り上がっている。冷媒導入通路３０の延長領域は、収容室２８の内側形成壁２８１と交差する。内側形成壁２８１及び外側形成壁２８２の基端部の一部はリヤハウジング１７の外周壁３１から外側方へはみ出している。
【００１７】
吸入圧領域となる吸入室２２の冷媒は、ピストン１５の復動によって吸入弁１９１を押し退けながら吸入ポート１８１からシリンダボア１１１へ吸入される。シリンダボア１１１の冷媒は、ピストン１５の往動によって吐出弁２０１を押し退けながら吐出ポート１８２から吐出圧領域となる吐出室２３へ吐出される。吐出弁２０１はリテーナ形成プレート２１上のリテーナ２１１によって開度規制される。吐出室２３の冷媒は、図７に示す吐出通路５１、外部冷媒回路３２上の凝縮器３３、膨張弁３４、蒸発器３５及び冷媒導入通路３０を経由して吸入室２２に還流する。
【００１８】
図７に示すように、吐出通路５１上には吐出開閉弁５２が介在されている。吐出開閉弁５２は、吐出通路５１内にスライド可能に収容された筒状の弁体５２１と、吐出通路５１の壁面に取り付けられたサークリップ５２２と、サークリップ５２２と弁体５２１との間に介在された圧縮ばね５２３とからなる。弁体５２１は弁孔５１１を開閉し、圧縮ばね５２３は弁孔５１１を閉じる方向へ弁体５２１を付勢する。弁孔５１１とサークリップ５２２との間の吐出通路５１の側部には迂回路５１２が接続形成されている。迂回路５１２は吐出通路５１の一部である。筒状の弁体５２１の周面には通口５２４が貫設されている。弁体５２１が図７の開位置にあるときには、吐出室２３内の冷媒ガスが弁孔５１１、迂回路５１２、通口５２４及び弁体５２１の筒内を経由して外部冷媒回路３２へ流出する。弁体５２１が弁孔５１１を遮断しているときには、吐出室２３内の冷媒ガスが外部冷媒回路３２へ流出することはない。
【００１９】
吐出室２３と制御圧室１２１とを接続する冷媒供給通路２６上には電磁式容量制御弁２７が介在されている。容量制御弁２７は収容室２８に収容されている。冷媒供給通路２６は吐出室２３の冷媒を制御圧室１２１へ供給する。容量制御弁２７のソレノイド３９はコントローラ（図示略）の励消磁制御を受け、前記コントローラは車両の室内の温度を検出する室温検出器（図示略）によって得られる検出室温及び室温設定器（図示略）によって設定された目標室温に基づいて容量制御弁２７の励消磁を制御する。
【００２０】
図４に示すように、容量制御弁２７内の感圧手段３６を構成する感圧体としてのベローズ３６１には吸入室２２内の圧力（吸入圧）が感圧室３６３を介して作用している。吸入室２２内の吸入圧は熱負荷を反映している。ベローズ３６１には弁体３７が接続されており、弁体３７は弁孔３８を開閉する。ベローズ３６１内の大気圧及び感圧手段３６を構成する感圧ばね３６２のばね力は、弁孔３８を開く方向へ弁体３７に作用する。容量制御弁２７のソレノイド３９を構成する固定鉄芯３９１は、コイル３９２への電流供給による励磁に基づいて可動鉄芯３９３を引き付ける。即ち、ソレノイド３９の電磁駆動力は、開放付勢ばね４０のばね力に抗して弁孔３８を閉じる方向へ弁体３７を付勢する。追従ばね４１は可動鉄芯３９３を固定鉄芯３９１側へ付勢する。弁孔３８における開閉具合、即ち弁開度は、ソレノイド３９で生じる電磁駆動力、追従ばね４１のばね力、開放付勢ばね４０のばね力、感圧手段３６の付勢力のバランスによって決まり、容量制御弁２７は、ソレノイド３９に供給される電流値に応じた吸入圧をもたらす制御を行なう。
【００２１】
供給電流値が高められると弁開度が減少し、吐出室３２から制御圧室１２１への冷媒供給量が減る。制御圧室１２１内の冷媒は、冷媒抜き出し通路２９を介して吸入室２２へ流出しているため、制御圧室１２１内の圧力が下がる。従って、斜板１４の傾角が増大して吐出容量が増える。吐出容量の増大は吸入圧の低下をもたらす。供給電流値が下げられると弁開度が増大し、吐出室２３から制御圧室１２１への冷媒供給量が増える。従って、制御圧室１２１内の圧力が上がり、斜板１４の傾角が減少して吐出容量が減る。吐出容量の減少は吸入圧の増大をもたらす。
【００２２】
ソレノイド３９に対する電流供給値が零になると弁開度が最大となり、図２に鎖線で示すように斜板１４の傾角が最小となる。斜板傾角が最小状態における吐出圧は低く、このときの吐出通路５１における吐出開閉弁５２の上流側の圧力が吐出開閉弁５２の下流側の圧力と圧縮ばね５２３のばね力との和を下回るように圧縮ばね５２３のばね力が設定してある。従って、斜板１４の傾角が最小になったときには弁体５２１が弁孔５１１を閉じ、外部冷媒回路３２における冷媒循環が停止する。この冷媒循環停止状態は熱負荷低減作用の停止状態である。
【００２３】
斜板１４の最小傾角は０°よりも僅かに大きくしてある。斜板１４の最小傾角は０°ではないため、斜板傾角が最小の状態においてもシリンダボア１１１から吐出室２３への吐出は行われている。シリンダボア１１１から吐出室２３へ吐出された冷媒ガスは冷媒供給通路２６を通って制御圧室１２１へ流入する。制御圧室１２１内の冷媒ガスは冷媒抜き出し通路２９を通って吸入室２２へ流出し、吸入室２２内の冷媒ガスはシリンダボア１１１内へ吸入されて吐出室２３へ吐出される。即ち、斜板傾角が最小状態では、吐出室２３、冷媒供給通路２６、制御圧室１２１、冷媒抜き出し通路２９、吸入圧領域である吸入室２２、シリンダボア１１１を経由する循環通路が圧縮機内にできている。そして、吐出室２３、制御圧室１２１及び吸入室２２の間では圧力差が生じている。従って、冷媒ガスが前記循環通路を循環し、冷媒ガスと共に流動する潤滑油が圧縮機内を潤滑する。
【００２４】
ソレノイド３９に対する電流供給を再開すると弁開度が小さくなり、制御圧室１２１内の圧力が下がる。従って、斜板１４の傾角が最小傾角から増大してゆく。斜板１４の傾角が最小傾角から増大すると吐出圧が増大し、吐出通路５１における吐出開閉弁５２の上流側の圧力が吐出開閉弁５２の下流側の圧力と圧縮ばね５２３のばね力との和を上回る。従って、斜板１４の傾角が最小傾角よりも大きいときには弁孔５１１が開き、吐出室２３内の冷媒ガスが外部冷媒回路３２へ流出する。
【００２５】
図２に示すように、フロントハウジング１２の外周壁の上部及び下部には取り付け部４２，４３が一体形成されている。各取り付け部４２，４３にはボルト挿通孔４２１，４３１が紙面に垂直になるように穿設されている。両ボルト挿通孔４２１，４３１は互いに平行である。図１、図２及び図３に示すように、リヤハウジング１７の端壁２４の外端面には取り付け部４４が一体形成されている。取り付け部４４にはボルト挿通孔４４１が回転軸線１３１と直交するように、かつボルト挿通孔４２１，４３１と平行となるように形成されている。
【００２６】
図１に示すように、各取り付け部４２，４３，４４はボルト挿通孔４２１，４３１，４４１に挿通されたボルト４５，４６，４７の締め付けによって車両エンジン側の被取り付けボス４８，４９，５０に接合固定される。
【００２７】
図４に示すように、収容室２８は回転軸１３の回転軸線１３１に対して傾くように配置形成されている。即ち、収容室２８に収容された容量制御弁２７の中心軸線２７１と、回転軸線１３１に対して直交する平面Ｓとのなす角度θが零とはならないようにしてある。そして、収容室２８の先端側は、リヤハウジング１７の端壁２４の外端面側から回転軸１３の回転軸線１３１の方向に見てリヤハウジング１７の端壁２４の外端面から離れてゆくように取り付け部４４のボルト挿通孔４４１を潜る。図４及び図５に示すように、収容室２８の先端側の内側形成壁２８１は吸入室２２に入り込んでおり、収容室２８の先端側には感圧手段３６が入り込んでいる。感圧室３６３は内側形成壁２８１上の感圧口２８３を介して吸入室２２に連通している。
【００２８】
第１の実施の形態では以下の効果が得られる。
（１-1）一般的に、ソレノイド３９側の容量制御弁２７の胴径は、感圧手段３６側の容量制御弁２７の胴径よりも大きい。図４に鎖線で示すように、回転軸線１３１と直交する平面Ｓに対して容量制御弁２７を傾けない状態で容量制御弁２７の先端側を取り付け部４４のボルト挿通孔４４１に対して潜らせたとすると、収容室２８の内側形成壁２８１が吐出室２３からシリンダブロック１１側へはみ出してしまう。このはみ出しの回避は、リヤハウジング１７の回転軸線１３１の方向への長さを大きくすることによっても達成できるが、これは圧縮機の大型化につながる。容量制御弁２７を傾けない状態で圧縮機の大型化を回避するには図５に鎖線で示すように、容量制御弁２７の先端側を取り付け部４４のボルト挿通孔４４１に対して潜らせないようにすればよい。しかし、回転軸１３の回転軸線１３１と直交する取り付け部４４が端壁２４の外端面を略均等に２分割しているため、ボルト挿通孔４４１に対して容量制御弁２７を潜らせない配置では容量制御弁２７の先端側がリヤハウジング１７の半径中心（即ち、回転軸線１３１）から側方へ大きく外れることになる。このような外れ配置は容量制御弁２７の挿入長を長くできず、容量制御弁２７の基端側がリヤハウジング１７の外周壁３１から外側方へ大きくはみ出してしまう。
【００２９】
容量制御弁２７を平面Ｓに対して傾ける配置は、取り付け部４４のボルト挿通孔４４１に対して容量制御弁２７の先端側を潜らせることを可能とする。ボルト挿通孔４４１に対して容量制御弁２７の先端側を潜らせる構成は、容量制御弁２７の先端側をリヤハウジング１７の半径中心（回転軸線１３１）側へ近づけ配置可能とし、容量制御弁２７の挿入長を長くすることができる。従って、回転軸線１３１と直交する平面Ｓに対して容量制御弁２７を傾け配置する構成は、リヤハウジング１７の外周壁３１から外方への容量制御弁２７のはみ出しの抑制に有効である。
【００３０】
（１-2）吸入室２２はリヤハウジング１７の半径中心側にあり、吐出室２３は吸入室２２を包囲している。容量制御弁２７の先端側にある感圧手段３６は、感圧室３６３の吸入圧が電気駆動手段であるソレノイド３９の駆動力に対応した所定の圧力に収束するように働く。感圧手段３６は吸入室２２の吸入圧に感応して動作する。容量制御弁２７を傾け配置した構成は、収容室２８の先端側の内側形成壁２８１を吸入室２２の中心側へ大きく張出可能とする。内側形成壁２８１の先端側を吸入室２２の中心側へ大きく張り出せば、内側形成壁２８１の先端側の吸入室２２における露出面積が広くなり、感圧室３６３と吸入室２２とを通じる感圧口２８３を大きくすることができる。大きな感圧口２８３は吸入室２２内の圧力変動を迅速に感圧室３６３へ伝え、感圧手段３６の感圧精度が高まる。
【００３１】
（１-3）吸入室２２は吸入脈動を抑制する機能を有し、吸入室２２の容積が大きいほど吸入脈動抑制効果が高くなる。容積の大きな感圧口２８３は吸入室２２の吸入脈動抑制機能を補助する。
【００３２】
（１-4）収容室２８内に収容された容量制御弁２７の周面と形成壁２８１，２８２との間には環状通路２６１，２６２ができる。環状通路２６１，２６２は冷媒供給通路２６の一部となる。環状通路２６１，２６２の幅が大きいほど、環状通路２６１，２６２に繋がる通路２６３，２６４と環状通路２６１，２６２との接続加工が容易となる。容量制御弁２７の挿入長を大きくできる本実施の形態では、リヤハウジング１７の外周壁３１から外方への容量制御弁２７のはみ出しを抑制しながら、環状通路２６１，２６２の増幅をもたらすように容量制御弁２７の全長を増すことができる。
【００３３】
（１-5）圧縮機外の外部冷媒回路３２から圧縮機内の吸入室２２へ冷媒を直線的に案内する冷媒導入通路３０は、圧縮機外から吸入室２２に到る圧縮機内の吸入通路における圧損を抑制する。圧縮機外から吸入室２２に到る圧縮機内の吸入通路における圧損の抑制は、シリンダボア１１１への冷媒吸入の円滑化に寄与し、冷媒に関する体積効率が向上する。吸入室２２側に盛り上がった収容室２８の内側形成壁２８１は冷媒導入通路３０の延長領域と交差し、冷媒導入通路３０から吸入室２２へ流入する冷媒が内側形成壁２８１によってバルブプレート１８側へ偏向される。冷媒に対する内側形成壁２８１の偏向作用は、冷媒導入通路３０の出口３０３から吸入ポート１８１に到る冷媒の流れの円滑化に寄与するが、内側形成壁２８１が吸入室２２の中心側に近いほど前記変更作用の効果が高くなる。容量制御弁２７を傾け配置した構成は、冷媒導入通路３０の出口３０３から吸入ポート１８１に到る冷媒の流れの円滑化に寄与する。
【００３４】
次に、図８の第２の実施の形態を説明する。第１の実施の形態と同じ構成部には同じ符号が付してある。
この実施の形態では、第１の実施の形態における吐出開閉弁５２がない。そのため、容量制御弁２７が回転軸線１３１側へさらに寄るように配置可能となっている。その結果、容量制御弁２７の挿入長が第１の実施の形態の場合よりもさらに長くなり、容量制御弁２７の基端部がリヤハウジング１７の外周壁３１から外方へはみ出す量が減る。
【００３５】
本発明では以下のような実施の形態も可能である。
（１）リヤハウジング１７の端壁２４の外端面側から回転軸線１３１方向に見て容量制御弁２７を冷媒導入通路３０に対して潜らせるようにすること。
（２）制御圧室から吸入室へ冷媒を抜き出す通路上に容量制御弁を介在した可変容量型圧縮機に本発明を適用すること。
（３）吐出室から制御圧室への冷媒供給と、制御圧室から吸入室への冷媒抜き出しとを１つの容量制御弁で制御する、例えば三方弁を組み込んだ可変容量型圧縮機に本発明を適用すること。
（４）電気駆動手段を持たない容量制御弁を取り付ける可変容量型圧縮機に本発明を適用すること。
【００３６】
【発明の効果】
以上詳述したように本発明では、圧縮機の回転軸の回転軸線と直交する平面に対して容量制御弁を傾けたので、リヤハウジングの外周壁から外方への容量制御弁のはみ出しを従来よりも抑えることができるという優れた効果を奏する。
【図面の簡単な説明】
【図１】第１の実施の形態を示す圧縮機の背面図。
【図２】図１のＡ−Ａ線断面図。
【図３】要部側面図。
【図４】図１のＢ−Ｂ線断面図。
【図５】図２のＣ−Ｃ線断面図。
【図６】図２のＤ−Ｄ線拡大断面図。
【図７】吐出開閉弁を示す側断面図。
【図８】第２の実施の形態を示す縦断面図。
【符号の説明】
１３…回転軸、１３１…回転軸線、１７…リヤハウジング、２４…端壁、２７…容量制御弁、３１…外周壁、３６…感圧手段、３９…電気駆動手段となるソレノイド、４４…取り付け部。
【図１】
0003758399.tif 000002
【図２】
0003758399.tif 000003
【図３】
0003758399.tif 000004
【図４】
0003758399.tif 000005
【図５】
0003758399.tif 000006
【図６】
0003758399.tif 000007
【図７】
0003758399.tif 000008
【図８】
0003758399.tif 000009